【手続補正書】
【提出日】平成18年1月18日(2006.1.18)
【手続補正１】
【補正対象書類名】明細書
【補正対象項目名】発明の名称
【補正方法】変更
【補正の内容】
【発明の名称】インクジェット記録装置及びプリンタドライバ並びにプリンタドライバを格納した記憶媒体、画像形成装置
【手続補正２】
【補正対象書類名】明細書
【補正対象項目名】特許請求の範囲
【補正方法】変更
【補正の内容】
【特許請求の範囲】
【請求項１】
複数色のインクを用いて画像を出力するインクジェット記録装置において、複数色のインクの少なくともいずれかの色のインクがエンド状態又はニアエンド状態になったときに、出力画像の色情報すべてを他のインクの色情報に置換する手段を備えたことを特徴とするインクジェット記録装置。
【請求項２】
請求項１に記載のインクジェット記録装置において、前記置換後のインクの使用量を置換前のインクの使用量に比べて減少させる手段を備えたことを特徴とするインクジェット記録装置。
【請求項３】
請求項２に記載のインクジェット記録装置において、前記置換後のインクの使用量を減少するか置換前と同等にするかを選択する手段を備えたことを特徴とするインクジェット記録装置。
【請求項４】
請求項２又は３に記載のインクジェット記録装置において、置換後のインクの使用量を減少させる手段は、ヘッドに与える駆動波形を置換前の駆動波形と異ならせて吐出インク滴体積を減少させることを特徴とするインクジェット記録装置。
【請求項５】
請求項４に記載のインクジェット記録装置において、置換後のインクの使用量を減少させる手段はヘッドに与える駆動波形の電圧値を置換前の駆動波形の電圧値より小さくして吐出インク滴体積を減少させることを特徴とするインクジェット記録装置。
【請求項６】
請求項４に記載のインクジェット記録装置において、置換後のインクの使用量を減少させる手段はヘッドに与える駆動波形の立ち上がり時間を置換前の駆動波形の立ち上がり時間より長くして吐出インク滴体積を減少させることを特徴とするインクジェット記録装置。
【請求項７】
請求項２又は３に記載のインクジェット記録装置において、置換後のインクの使用量を減少させる手段は、出力画像のパターンを間引くことでインクの使用量を減少させることを特徴とするインクジェット記録装置。
【請求項８】
請求項２又は３に記載のインクジェット記録装置において、置換後のインクの使用量を減少させる手段は、出力画像を縮小することでインクの使用量を減少させることを特徴とするインクジェット記録装置。
【請求項９】
ホスト側に接続されたインクジェット記録装置を駆動制御するためのプリンタドライバであって、前記インクジェット記録装置に対して複数色のインクの少なくともいずれかの色のインクがエンド状態又はニアエンド状態になったときに、出力画像の色情報すべてを他のインクの色情報に置換するか否かを指定する手段を備えたことを特徴とするプリンタドライバ。
【請求項１０】
請求項９に記載のプリンタドライバにおいて、前記出力画像の色情報を置換した後のインク使用量を減少させるか否かを指定する手段を備えたことを特徴とするプリンタドライバ。
【請求項１１】
プリンタドライバを格納したコンピュータが読み取り可能な記憶媒体において、前記プリンタドライバはインクジェット記録装置に対して複数色のインクの少なくともいずれかの色のインクがエンド状態又はニアエンド状態になったときに、出力画像の色情報すべてを他のインクの色情報に置換するか否かを指定するステップを実行可能なことを特徴とするコンピュータが読み取り可能な記憶媒体。
【請求項１２】
請求項１１に記載の記憶媒体において、前記プリンタドライバは出力画像の色情報を置換した後のインク使用量を減少させるか否かを指定するステップを実行可能なことを特徴とするコンピュータが読み取り可能な記憶媒体。
【請求項１３】
複数色のインクを用いて画像を出力する画像形成装置において、複数色のインクの少なくともいずれかの色のインクがエンド状態又はニアエンド状態になったときに、出力画像の色情報すべてを他のインクの色情報に置換する手段を備えたことを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェット記録装置及びプリンタドライバ並びにプリンタドライバを格納した記憶媒体、画像形成装置に関する。
【手続補正４】
【補正対象書類名】明細書
【補正対象項目名】００１２
【補正方法】変更
【補正の内容】
【００１２】
本発明は上記の課題に鑑みてなされたものであり、インクエンド後も可及的に印刷可能状態を継続するインクジェット記録装置、画像形成装置及びこれに用いるプリンタドライバ並びにプリンタドライバを記憶した記憶媒体を提供するものである。
【手続補正５】
【補正対象書類名】明細書
【補正対象項目名】００１３
【補正方法】変更
【補正の内容】
【００１３】
【課題を解決するための手段】
上記の課題を解決するため、本発明に係るインクジェット記録装置、画像形成装置は、複数色のインクの少なくともいずれかの色のインクがエンド状態又はニアエンド状態になったときに、出力画像の色情報すべてを他のインクの色情報に置換する手段を備えたものである。
【手続補正６】
【補正対象書類名】明細書
【補正対象項目名】００２１
【補正方法】変更
【補正の内容】
【００２１】
【発明の実施の形態】
以下、本発明の実施の形態を添付図面を参照して説明する。図１は本発明に係る画像形成装置としてのインクジェット記録装置の機構部の概略斜視説明図、図２は同機構部の側面説明図である。
【手続補正７】
【補正対象書類名】明細書
【補正対象項目名】００７５
【補正方法】変更
【補正の内容】
【００７５】
なお、上記実施形態ではインクジェット記録装置がプリンタ装置である場合を例にして説明しているが、ファクシミリ装置であるような場合には、単純に、インクエンド後モノカラー印刷モードに移行するか否かを指定するスイッチ手段（メニュー選択方式を含む）を設けて、制御部は、インクエンドになったときにモノカラー印刷モードが選択されているときには例えば予め定めた色順に残っているインクの色にデータを置換して印字出力するようにすればよい。また、上記実施形態ではインクエンドでモノカラー印刷モードに移行する例で説明したがインクニアエンドでモノカラー印刷モードに移行できるようにすることもできる。また、前述したようにプリンタ、ファクシミリ、プロッタ等の画像形成装置にも本発明を適用することができる。
【手続補正８】
【補正対象書類名】明細書
【補正対象項目名】００７６
【補正方法】変更
【補正の内容】
【００７６】
【発明の効果】
以上説明したように、本発明に係るインクジェット記録装置、画像形成装置によれば、複数色のインクの少なくともいずれかの色のインクがエンド状態又はニアエンド状態になったときに、出力画像の色情報すべてを他のインクの色情報に置換する手段を備えたので、残っているインクで継続して印刷することができるようになる。
【手続補正９】
【補正対象書類名】明細書
【補正対象項目名】００８３
【補正方法】変更
【補正の内容】
【００８３】
この場合、プリンタドライバが出力画像の色情報を置換した後のインク使用量を減少させるか否かを指定するステップを実行可能なものとすることで、ユーザーの要求により細やかに対応できるプリンタドライバを容易に提供できる。